(57)【要約】      （修正有）【課題】従来の外殻体の内部に導入される止め具では、チェーン等の紐を止め着けたり、外したりの着脱作業において、引っ掛けないようにすることが難しい。これを解消するもので、確実かつ容易に実行できる止め具を提供する。【解決手段】中空外殻体２内に弾性体３を内蔵した止め具１であって、中空外殻体２は、外部から内部さらに外部に通ずる孔４、５を設け、この孔４、５は弾性体３とチェーン等の紐部材７が貫通できる孔８を２ヶ穿設し、外殻体２の中空部内壁面は球面状の連続体とし、弾性体３は白色Ｏリングであって、１ヶまたは２ヶ外殻体２内に挿入し、弾性体３の外径は外殻体２中空部の内壁面の径より若干小径で、１ヶまたは２ヶの弾性体が外殻体内壁面に圧接しない程度で自由に動く状態に挿入し、さらに弾性体３の内径はチェーン等の紐部材７の外径より若干小径の孔径を有する装身具等に使用する止め具。【選択図】図１
0003104179.tif 000002
【実用新案登録請求の範囲】
【請求項１】
中空外殻体内に弾性体を内蔵した止め具であって、前記中空外殻体は、外部から内部さらに外部に通ずる孔を設け、この孔は弾性体とチェーン等の紐部材が貫通できる孔を２ヶ穿設し、外殻体の中空部内壁面は球面状の連続体とし、弾性体は白色Ｏリングであって、１ヶまたは２ヶ外殻体内に挿入し、弾性体の外径は前記外殻体中空部の内壁面の径より若干小径で、１ヶまたは２ヶの弾性体が外殻体内壁面に圧接しない程度で自由に動く状態に挿入し、さらに前記弾性体の内径はチェーン等の紐部材の外径より若干小径の孔径を有することを特徴とする装身具等に使用する止め具。
【考案の詳細な説明】
【技術分野】
【０００１】
本考案は、ネックレス等の装身具におけるチェーン等の紐を適宜の位置に止める止め具に関するものである。
【背景技術】
【０００２】
従来、外殻体と、弾性体とを含む止め具であって、前記外殻体は、孔と、中空部とを有し、前記中空部の内壁面が球面状の連続体であり、前記孔は、前記外殻体の外部から前記中空部へ通じており、前記弾性体は、通孔部を有するＯリング状部材であって、前記中空部の内部に内蔵され、その外周が前記中空部の前記内壁面に圧接しており、前記通孔部は、前記孔に通じており、前記弾性体は、前記外殻体の前記孔を通って、前記外殻体の内部に導入される止め具（例えば、特許文献１参照）が存在している。
【特許文献１】特許第３１１４８６８号公報（特許請求の範囲の欄、発明の詳細な説明の欄の｛発明の実施の形態｝、段落｛００１１｝〜｛００１６｝、及び図１、図３、図４を参照）
【考案の開示】
【考案が解決しようとする課題】
【０００３】
しかしながら、上記従来技術の特許文献１に示されたものは、外殻体は、孔と、中空部とを有し、前記中空部の内壁面が球面状の連続体であり、通孔部を有するＯリング状部材の弾性体を外殻体の中空部の内部に内蔵され、その弾性体外周が前記中空部の前記内壁面に圧接するように、弾性体は、外殻体の孔を通って、外殻体の内部に導入される止め具であって、この止め具ではチェーン等の紐部材を止め着けたり、外したりの着脱作業において、引っ掛けないようにすることが難しい。本考案は、これを解消するもので、確実かつ容易に実行できる止め具を提供する。
【課題を解決するための手段】
【０００４】
上記課題を解決するための本考案の第１考案は、請求項１に記載されたとおりの止め具であり、次のようなものである。
中空外殻体内に弾性体を内蔵した止め具であって、前記中空外殻体は、外部から内部さらに外部に通ずる孔を設け、この孔は弾性体とチェーン等の紐部材が貫通できる孔を２ヶ穿設し、外殻体の中空部内壁面は球面状の連続体とし、弾性体は白色Ｏリングであって、１ヶまたは２ヶ外殻体内に挿入し、弾性体の外径は前記外殻体中空部の内壁面の径より若干小径で、１ヶまたは２ヶの弾性体が外殻体内壁面に圧接しない程度で自由に動く状態に挿入し、さらに前記弾性体の内径はチェーン等の紐部材の外径より若干小径の孔径を有する構成である。
【考案の効果】
【０００５】
本考案に係る止め具は、上記説明のような構成であるので、以下に記載する効果を奏する。
（１）チェーン等の紐部材が、装身具における宝石等の装飾品に確実、かつ容易に係留できる止め具を提供することができる。
（２）外殻体の中空部内壁面に、白色Ｏリングが圧接しないようにフリー状態で動く外径を有することによって、チェーン等の紐部材が外殻体と白色Ｏリング間に挟まって引っ掛ることがなく、しかも２ヶの白色Ｏリングが設けられている場合は、より確実に容易に適宜の位置に係留することができる。
【考案を実施するための最良の形態】
【０００６】
中空外殻体内に弾性体を内蔵した止め具であって、前記中空外殻体は、外部から内部さらに外部に通ずる孔を設け、この孔は弾性体とチェーン等の紐体が貫通できる孔を２ヶ穿設し、外殻体の中空部内壁面は球面状の連続体とし、弾性体は白色Ｏリングであって、１ヶまたは２ヶ外殻体内に挿入し、弾性体の外径は前記外殻体中空部の内壁面の径より若干小径で、１ヶまたは２ヶの弾性体が外殻体内壁面に圧接しない程度で自由に動く状態に挿入し、さらに前記弾性体の内径はチェーン等の紐体の外径より若干小径の孔径を有する装身具等に使用する止め具。
【実施例】
【０００７】
図１は、本考案の第一実施例である止め具と紐部材との関係を示す断面図である。
ここで、図１に基づいて本発明の止め具について詳細に説明する。
図示するように、止め具１は、本体である外殻体２と弾性体３からなっているものである。外殻体２は、チェーン等の紐部材７を通す第１の孔４と第２の孔５を穿設し、内実をくり抜いたような中空部６を有する。
第１の孔４と第２の孔５は外殻体２の外部から中空部６へ通じている。外殻体２は、金属、合金、セラミック、合成樹脂等の各種材料を用いて形成し、球体状、多角体状等の種々の任意形状を採用でき、外面はメッキ等による装飾をし、彫金的装飾を施すことができる。
【０００８】
そして、外殻体２における中空部６は、内面が球面状の連続体となっている。弾性体３はチェーン等の紐部材７を通す、前記紐部材７の外径より若干小さい内径を有するような通孔部８を設け、前記外殻体２の中空部６に内蔵され、球面状の中空部６の内径より若干小さい外径を有し、前記中空部６内である程度自由に移動できるような形状にしてある。しかも、１ヶまたは２ヶの弾性体３が中空部６に挿入されていて、各弾性体もある程度自由に動くものである。
なお、前記弾性体３としては、白色Ｏリングを採用するのが最良であるが、ゴム、シリコンゴム等の弾性体からなる孔あきのものでも良いことはいうまでもない。
【０００９】
そして、弾性体３の通孔部８の内径Ｄ２は、外殻体２の第１の孔４、あるいは第２の孔５の内径Ｄ１より小さく、なおかつチェーン等の紐部材７の外径より小径である。前記弾性体３を外殻体２の中空部６に挿入するには、この弾性体３を潰すようにして挿入したり、針金等を用いて通孔部８に通して外殻体２における第１の孔４、第２の孔５のどちらからか針金を通して、第２の孔５、第１の孔４のどちらかに引っ張り出すことにより、弾性体３を挿入するものである。
【００１０】
以上のように、外殻体２の中空部６に弾性体３が２ヶ挿入されている場合の止め具１について説明すると、チェーン、繊維紐、球体結合紐等の紐部材７の先端の係止具に針金を掛け渡してその針金を案内に外殻体２の第１の孔４、あるいは第２の孔５から中空部６に挿入し、２ヶの弾性体３が略重なった状態になっているので、その弾性体３の通孔部８をめがけて挿入すると、通孔部８に入らなくとも中空部６の内壁面が球面状のため、弾性体３が外殻体２の中空部６内で自由に動いて通孔部８が第１の孔４、あるいは第２の孔５と通じるようになって入り込み、他の第２の孔（５）か、第１の孔（４）に通じて紐部材７が貫通できるものである。
【００１１】
この際、外殻体２の中空部６内に弾性体３を内蔵してあり、この弾性体３の通孔部８内径に対して、強引に通過させる紐部材７の外径と、弾性体３の通孔部８の内径とを適当に選定することにより、弾性体３の弾力性を利用して、通孔部８を通る紐部材７に摩擦抵抗を生じさせ、紐部材７を任意の長さ位置にずらすことで係留することができる。
【００１２】
また、２ヶの弾性体３を内蔵させてあるので、紐部材７を保持する部分を増やし保持力を増大できるし、２ヶの弾性体３が外殻体２の中空部６の内壁面が球面状になっている所で、内壁面の内径より若干小径の弾性体３になっているので、自由に動き、弾性体３と外殻体２の間に挟まって紐部材７が引っ掛ってしまうこともない。
【産業上の利用可能性】
【００１３】
装身具に用いる各種チェーン、繊維製紐に宝石等の装飾品を適宜位置に係留させるための止め具として利用することができる。
【図面の簡単な説明】
【００１４】
【図１】本考案の一実施例に係る止め具と紐部材の関係を示す断面図である。
【符号の説明】
【００１５】
１・・・・止め具                        ２・・・・外殻体
３・・・・弾性体                        ４・・・・第１の孔
５・・・・第２の孔                      ６・・・・中空部
７・・・・紐部材                        ８・・・・通孔部
【図１】
0003104179.tif 000003